(57)【要約】【課題】耐久性に優れ、しかもニードルをニードルパンチの対象物に対して深いストロークで突き刺す作業を弱い力で簡単に行なうことが可能な利便性の高い手芸用ニードルパンチセットを提供する。【解決手段】ニードルパンチ用のニードル１０と、ニードルパンチの対象物５０，５１を支持するための支持面４２を有する支持部材４とを備えており、支持部材４は、基材４０に複数本の繊維状部材４１が起立して支持されたブラシ構造を有し、かつ支持面４２は、複数本の繊維状部材４１のそれぞれの先端部によって形成されている。【選択図】  図１
2004308046.tif 000002
【特許請求の範囲】
【請求項１】
ニードルパンチ用のニードルと、ニードルパンチの対象物を支持するための支持面を有する支持部材とを備えており、
上記支持部材は、基材に複数本の繊維状部材が起立して支持されたブラシ構造を有し、かつ上記支持面は、上記複数本の繊維状部材のそれぞれの先端部によって形成されていることを特徴とする、手芸用ニードルパンチセット。
【請求項２】
上記支持部材の支持面は、略平面状または曲面状である、請求項１に記載の手芸用ニードルパンチセット。
【請求項３】
上記ニードルを支持するグリップ用部材を備えており、かつ上記グリップ用部材から上記ニードルが突出する寸法は、上記支持部材の上記各繊維状部材が上記基材から起立する寸法よりも短くされている、請求項１または２に記載の手芸用ニードルパンチセット。
【請求項４】
上記ニードルは、上記グリップ用部材に着脱自在である、請求項３に記載の手芸用ニードルパンチセット。
【請求項５】
ニードルパンチの対象物を支持するのに用いられる手芸用ニードルパンチ支持部材であって、
基材に複数本の繊維状部材が起立して支持されたブラシ構造を有し、かつ上記複数本の繊維状部材のそれぞれの先端部によって上記ニードルパンチの対象物を支持するための支持面が形成されていることを特徴とする、手芸用ニードルパンチ支持部材。
【発明の詳細な説明】
【０００１】
【発明の属する技術分野】
本願発明は、手芸用ニードルパンチセットおよび支持部材に関する。
【０００２】
【従来の技術】
ニードルパンチは、一般的には、不織布の製造に用いられる手法であり、複数のウェブの繊維どうしを重ね合わせた状態において、これらにニードル（針）を突き刺すことによってそれらの繊維どうしを絡ませ、ウェブを結合させる手法である。ただし、このようなニードルパンチは、不織布の製造のみならず、手芸分野においても利用されている。手芸用のニードルパンチを行なうための用具としては、複数本のニードルをグリップ用部材に取り付けた構造のものが提案されている（たとえば特許文献１参照）。
【０００３】
手芸分野においては、たとえば、適当な１枚の布地の上にフェルト片を重ね合わせてから、これらにニードルを複数回にわたって突き刺すことが行なわれる。このようにすると、上記フェルト片の繊維が上記布地の繊維に絡まり、このことによってアップリケを施すことができる。
【０００４】
上記したような手芸を行なう場合、ニードルパンチの対象布地を、たとえば表面が硬いテーブル上に直接載置させたのでは、上記ニードルを布地に突き刺した際にその先端が上記テーブルの表面に当たり、上記ニードルを布地に対して十分な深さに突き刺すことができない。また、上記ニードルの先端が上記テーブルとの接触によって破損したり、上記テーブルに傷が付く不具合も発生する。その一方、上記布地は、できる限り安定した状態に支持させることが好ましい。そこで、従来においては、たとえば発泡スチロールを支持台として利用し、この支持台上にニードルパンチの対象布地を載せるようにしていた。発泡スチロールは、比較的軟質であり、ニードルを突き刺すことが可能であるため、上記した不具合を幾分かは解消することが可能である。
【０００５】
【特許文献１】
実用新案登録第３０３５５３４号公報
【０００６】
【発明が解決しようとする課題】
しかしながら、上記従来技術においては、次のような不具合があった。
【０００７】
第１に、ニードルを布地に突き刺す都度、このニードルの先端が発泡スチロール製の支持台に突き刺さるために、この支持台に穴があく。したがって、ニードルパンチを繰り返して行なうと、支持台の表面がぼろぼろになり、上記支持台を長期間にわたって繰り返し使用することは困難であった。
【０００８】
第２に、発泡スチロール製の支持台には、ニードルを浅く突き刺すことはできるものの、その突き刺し量が大きくなると、上記支持台はニードルの突き刺しに対して大きな抵抗力を発揮する。したがって、ニードルを弱い力で上記支持台に深く突き刺すことができず、布地に対するニードルの突き刺しストロークを長くして、布地の繊維どうしを効率良く絡ませることが困難となっていた。
【０００９】
なお、上記不具合を解消する手段としては、たとえば上記した発泡スチロール製の支持台の表面に厚手のフェルトを貼ることが考えられる。このようにすると、発泡スチロールの表面がニードルとの接触によってぼろぼろに傷まないようにすることが可能である。ところが、このような手段を採用したのでは、ニードルパンチを行なう都度、このフェルトの繊維がニードルパンチの対象布地に絡まるという不具合が発生する。
【００１０】
本願発明は、このような事情のもとで考え出されたものであって、耐久性に優れ、しかもニードルをニードルパンチの対象物に対して深いストロークで突き刺す作業を弱い力で簡単に行なうことが可能な利便性の高い手芸用ニードルパンチセットおよび支持部材を提供することをその課題としている。
【００１１】
【発明の開示】
上記の課題を解決するため、本願発明では、次の技術的手段を講じている。
【００１２】
本願発明の第１の側面によって提供される手芸用ニードルパンチセットは、ニードルパンチ用のニードルと、ニードルパンチの対象物を支持するための支持面を有する支持部材とを備えており、上記支持部材は、基材に複数本の繊維状部材が起立して支持されたブラシ構造を有し、かつ上記支持面は、上記複数本の繊維状部材のそれぞれの先端部によって形成されていることを特徴としている。上記支持部材の支持面は、略平面状または曲面状である構成とすることができる。
【００１３】
このような構成によれば、上記支持部材はブラシ構造を有しており、その支持面は複数本の繊維状部材の先端部により形成されているために、ニードルパンチの対象物に突き刺したニードルが上記支持面に到達しても、このニードルは上記複数本の繊維状部材どうしの隙間に進入するに過ぎないこととなって、上記各繊維状部材が大きなダメージを受けることはない。したがって、従来の発泡スチロールを用いる手段とは異なり、支持部材がニードルとの接触によって短期間で大きな損傷を受けることはなく、上記支持部材を長期間にわたって繰り返し使用することができる。また、上記ニードルが、上記複数本の繊維状部材との接触によって大きなダメージを受けることもないために、上記ニードルの使用寿命を長くする効果も得られる。
【００１４】
さらに、重要な効果として、本願発明によれば、上記支持部材の複数の繊維状部材は、ニードルが突き刺されたときに、その突き刺し力に対して大きな抵抗力を発揮しない構造を有している。したがって、ニードルを比較的弱い力で上記支持部材に深く突き刺すことが可能となって、ニードルパンチ対象物に対してニードルを長いストロークで突き刺すことが容易となる。その結果、ニードルパンチの対象物の繊維どうしを効率良く絡ませて作業効率を高めることもできる。
【００１５】
また、本願発明によれば、上記支持部材は、複数本の繊維状部材が基材に起立して支持された構造を有しているために、従来の発泡スチロールの表面にフェルトを貼る手段とは異なり、上記繊維状部材がニードルパンチの対象物の繊維に絡まるといった不具合もない。
【００１６】
本願発明の好ましい実施の形態においては、上記ニードルを支持するグリップ用部材を備えており、かつ上記グリップ用部材から上記ニードルが突出する寸法は、上記支持部材の上記各繊維状部材が上記基材から起立する寸法よりも短くされている。このような構成によれば、上記ニードルが上記支持部材の支持面から上記支持部材の基材に向けて刺し込まれていく場合に、上記ニードルの先端部が上記基材に到達する前に、上記グリップ用部材が上記支持面（上記支持面上に布地がある場合にはこの布地）に当たることとなって、上記ニードルが上記基材に向けてそれ以上進むことが阻止される。したがって、上記ニードルを深く突き刺した場合であっても、上記ニードルの先端部が上記基材に誤って接触することが回避され、それらの破損が適切に防止される。
【００１７】
本願発明の好ましい実施の形態においては、上記ニードルは、上記グリップ用部材に着脱自在である。このような構成によれば、上記ニードルがたとえば破損したときには、その交換を行なうことが可能となり、より便利となる。
【００１８】
本願発明の第２の側面によって提供される手芸用ニードルパンチ支持部材は、基材に複数本の繊維状部材が起立して支持されたブラシ構造を有し、かつ上記複数本の繊維状部材のそれぞれの先端部によって上記ニードルパンチの対象物を支持するための支持面が形成されていることを特徴としている。
【００１９】
このような構成によれば、本願発明の第１の側面によって提供される手芸用ニードルパンチセットについて述べたのと同様な効果が期待できる。
【００２０】
本願発明のその他の特徴および利点については、以下に行う発明の実施の形態の説明から、より明らかになるであろう。
【００２１】
【発明の実施の形態】
以下、本願発明の好ましい実施の形態について、図面を参照しつつ具体的に説明する。
【００２２】
図１は、本願発明に係る手芸用ニードルパンチセットの一例を示している。本実施形態の手芸用ニードルパンチセットＡは、複数本のニードル１０を有するパンチャ１、キャップ２、ガイドスリーブ３、および支持台４を備えて構成されている。
【００２３】
パンチャ１は、使用者が手で把持するためのグリップ用部材１１に複数本のニードル１０を保持させたものであり、各ニードル１０の先端寄り領域がグリップ用部材１１の先端部から突出している。ニードル１０としては、不織布の製造に用いられるニードルパンチ用のニードルをそのまま用いることが可能である。このニードル１０としては、図２に示すように、その先端寄りの領域に、繊維を絡ませる効果を高めるための「返し」と称される１または複数の小突起１０ａが設けられたものを用いることが好ましい。
【００２４】
グリップ用部材１１は、合成樹脂製であり、筒状である。このグリップ用部材１１の内部には、複数枚の偏平状の固定板１２が取り付けられ、これらの固定板１２に設けられた複数の孔１２ａに各ニードル１０が挿通していることにより、各ニードル１０の径方向への位置決め固定が図られている。グリップ用部材１１は、たとえば断面略半円弧状の２つの部材を対向させて組み合わせることにより筒状に形成されており、グリップ用部材１１内への各固定板１２の組み付けは、上記２つの部材によって上記各固定板１２をその外周側から挟み付けるようにして行なわれている。
【００２５】
ニードル１０の頭部１０ｂは、たとえば略Ｌ字状に屈曲した形状であり、この頭部１０ｂが図２の最上部の固定板１２（１２’）に掛止している。この掛止作用により、ニードル１０はグリップ用部材１１の先端開口部１１ａから外部へは抜け外れないようになっている。グリップ用部材１１の頭部には、押さえ部材１３がネジ部１１ｂ，１３ａを介して螺合装着されており、この押さえ部材１３と固定板１２（１２’）との間にニードル１０の頭部１０ｂがクランプされていることにより、ニードル１０がその軸長方向に移動することの阻止が図られている。押さえ部材１３をグリップ用部材１１から外すと、ニードル１０を各固定板１２からその上方に抜き取ることが可能である。したがって、このパンチャ１においては、ニードル１０の着脱が自在であり、ニードル１０が破損した場合には、このニードル１０を他の新たなニードルと交換することが簡単かつ適切に行なえることとなる。
【００２６】
図１において、キャップ２は、パンチャ１を使用しないときに各ニードル１０の先端部分を覆うことによりその保護を図るためのものであり、グリップ用部材１１の先端部に嵌脱自在である。ガイドスリーブ３は、後述するように、パンチャ１を操作するときのガイドとして利用するものである。ガイドスリーブ３およびキャップ２は、いずれも透明な合成樹脂製である。ガイドスリーブ３は、キャップ２に外嵌可能なサイズに形成しておくことが望まれる。このような構成によれば、手芸用ニードルパンチセットＡの未使用時において、ガイドスリーブ３をキャップ２に外嵌させた状態で保管することが可能となり、ガイドスリーブ３をキャップ２に外嵌することなくキャップ２とは分離させて保管する場合と比較すると、手芸用ニードルパンチセットＡ全体の保管スペースを小さくすることができる。
【００２７】
支持台４は、本願発明でいう支持部材の一例に相当するものである。この支持台４は、矩形の平板状の基材４０の上面に、多数本の繊維状部材４１が起立するように植毛されたブラシ構造を有している。基材４０は、木製または合成樹脂製であり、繊維状部材４１としては、動物性または植物性の天然繊維、あるいは化学繊維の短繊維が用いられている。複数本の繊維状部材４１の先端部は、略同一面状に並んでおり、これらの先端部によって、ニードルパンチの対象物を支持するための略平面状の支持面４２が形成されている。各繊維状部材４１が基材４０の上面に起立した寸法ｓ１と、パンチャ１のグリップ用部材１１の先端部から各ニードル１０が突出する寸法ｓ２とを比較した場合、ｓ１＞ｓ２の関係となるように設定されている。この支持台４としては、たとえば洋服ブラシなどとして利用されている既存のブラシと同一構造のものをそのまま用いることが可能である。
【００２８】
次に、上記構成の手芸用ニードルパンチセットＡの使用法ならびに作用について説明する。
【００２９】
たとえば、図１の仮想線で示すように、布地５０に適当な形状を有するフェルト片５１のアップリケを施す場合、まず図３に示すように、布地５０およびフェルト片５１を重ね合わせた状態で支持台４の支持面４２上に載置する。支持面４２は、複数本の繊維状部材４１によって形成されているものの、これら繊維状部材４１が束となって起立したブラシ構造においては、その起立方向において比較的大きな耐荷重性をもたせることができる。したがって、布地５０やフェルト片５１を安定して支持させることが可能である。
【００３０】
次いで、パンチャ１を把持して、フェルト片５１および布地５０に対して各ニードル１０を突き刺し、この突き刺し作業を繰り返す。この作業により、フェルト片５１の繊維は、布地５０の組織間あるいは繊維間に押し込まれて布地５０の繊維と絡まり、フェルト片５１を布地５０に結合させることができる。これによりアップリケが行なわれる。その際、好ましくは、ガイドスリーブ３を布地５０およびフェルト片５１上に置いて手で支持させておき、このガイドスリーブ３内において各ニードル１０を昇降させる。このようにすれば、各ニードル１０の周囲がガイドスリーブ３によってカバーされるために、各ニードル１０が使用者の手に誤って接触する虞れを無くすことができる。
【００３１】
ニードル１０は、その先端部がフェルト片５１および布地５０に突き刺さる都度、支持台４の各繊維状部材４１に接触するが、その際、各繊維状部材４１は、ニードル１０から反れるように微小量だけ撓むに過ぎず、ニードル１０は繊維状部材４１どうしの隙間に進入することとなる。ニードル１０がそれらの隙間からその上方に引き上げられると、各繊維状部材４１はその弾性により元の状態に復元する。したがって、ニードル１０との接触によって各繊維状部材４１が大きなダメージを受けることはなく、支持台４の耐久寿命は長いものとなる。また、ニードル１０も各繊維状部材４１との接触によって損傷することはない。
【００３２】
既述したように、各繊維状部材４１にニードル１０が接触したときには、各繊維状部材４１がニードル１０から反れるように変形するために、各繊維状部材４１は、ニードル１０が下降するときの大きな抵抗にはならない。したがって、ニードル１０を弱い力で深く突き刺すことが可能である。フェルト片５１の繊維を布地５０に対して効率良く絡ませるためには、布地５０およびフェルト片５１に対するニードル１０の突き刺しストロークを長くとることが好ましいが、本実施形態の手芸用ニードルパンチセットＡにおいては、上記ストロークを長くとることが可能である。また、グリップ用部材１１からニードル１０が突出した寸法ｓ２は、各繊維状部材４１の起立寸法ｓ１よりも小さいために、グリップ用部材１１の先端がフェルト片５１に当接するまでニードル１０をフェルト片５１や布地５０に深く突き刺した場合であっても、ニードル１０の先端が支持台４の基材４０に到達することはない。したがって、ニードル１０が基材４０に衝突してこれらが破損するといった不具合も適切に回避することができる。
【００３３】
図４〜図６は、本願発明の他の実施形態を示している。これらの図において、上記実施形態と同一または類似の要素には、上記実施形態と同一の符号を付している。
【００３４】
図４に示す支持部材４Ａは、複数本の繊維状部材４１によって形成される支持面４２が、凸状の二次曲面あるいは三次曲面に形成されている。このような構成によれば、凸状に膨らむように立体裁断された布地を皺の少ない状態で支持面４２上に載せることが可能となる。
【００３５】
図５に示す支持部材４Ｂは、ローラ状または円柱状のブラシ構造を有しており、複数本の繊維状部材４１が軸状の基材４０を中心とする放射状に支持されている。この支持部材４Ｂは、たとえば基材４０の外周面に複数本の繊維状部材４１を植毛することによって、あるいは基材４０として針金状の部材を利用し、かつこの針金状の部材に複数本の繊維状部材４１を挟む込み支持させることによって製造することが可能である。この支持部材４Ｂによれば、やはり複数の繊維状部材４１によって形成された支持面４２上に布地を載せてニードルパンチを行なうことが可能である。基材４０の両端部を適当な部材に支持させることにより、この支持部材４Ｂをローラのように回転可能に設ければ、この支持部材４Ｂを回転させることによって、支持面４２上に載せられた布地の位置ずらしを行なうことが可能となり、長尺状の布地にニードルパンチを施す用途に便利となる。
【００３６】
図６に示す支持部材４Ｃは、基材４０が所望の手袋６０内に挿入可能であり、かつその手袋６０に対応した形状を有するものとして形成されており、この基材４０の上面に複数本の繊維状部材４１が植毛された構成を有している。このような構成の支持部材４Ｃによれば、この支持部材４Ｃを手袋６０内に挿入すると、手袋６０の上面部分が複数本の繊維状部材４１によって支持されることとなるため、手袋６０の上面部分上にフェルト片を載せるなどしてニードルパンチを行なうのに最適となる。もちろん、基材４０の上面以外の側面部分などにも植毛を施した場合には、手袋６０の上面部分以外の箇所にもニードルパンチを適切に施すことが可能となり、便利となる。
【００３７】
これらの実施形態から理解されるように、本願発明においては、支持部材の具体的な形状やサイズは、限定されるものではない。上記の実施形態以外としても、支持部材をたとえば靴下や帽子を被せることが可能な形状およびサイズに形成しておき、これらに靴下や帽子を被せてからニードルパンチを行なうことによって、それら靴下や帽子にアップリケを施すのに適するものとして構成することも可能である。
【００３８】
本願発明に係る手芸用ニードルパンチセットおよび支持部材の各部の具体的な構成は、種々に設計変更自在である。
【００３９】
繊維状部材としては、繊維状部材とニードルとの繰り返し接触によるニードルの磨耗または損傷などを防止する観点からすれば、できる限り軟質なものを用いることが好ましいが、本願発明はその具体的な材質は限定されない。動物性または植物性の天然繊維、あるいは化学繊維以外の繊維状部材を用いてもかまわない。支持部材としては、１つの支持部材に１つの支持面が設けられている構成に代えて、たとえば１つの支持部材に複数の支持面が設けられた構成とすることもできる。この場合、それら複数の支持面のサイズや形状などを相違させることによって、複数種類のニードルパンチ作業に適合させることができる。
【００４０】
ニードルパンチの対象物としては、織物、編み物、フェルト、あるいは不織布などの各種の布に加えて、毛糸などの糸状部材も挙げられる。たとえば、布地の上に毛糸を載せてニードルパンチを行なえば、この毛糸の繊維が布地に絡まって結合し、一種の刺繍が行なえることとなる。このような作業を行なう場合にも、本願発明に係る手芸用ニードルパンチセットまたは支持部材を用いることが可能である。
【図面の簡単な説明】
【図１】本願発明に係る手芸用ニードルパンチセットの一例を示す斜視図である。
【図２】図１に示す手芸用ニードルパンチセットの構成部品であるニードルおよびグリップ用部材の一例を示す断面図である。
【図３】図１に示す手芸用ニードルパンチセットの使用状態の一例を示す断面図である。
【図４】本願発明の他の例を示す側面図である。
【図５】本願発明の他の例を示す斜視図である。
【図６】本願発明の他の例を示す斜視図である。
【符号の説明】
Ａ  手芸用ニードルパンチセット
４  支持台（支持部材）
４Ａ〜４Ｃ  支持部材
１０  ニードル
１１  グリップ用部材
４０  基材
４１  繊維状部材
４２  支持面
５０  布地（ニードルパンチの対象物）
５１  フェルト片（ニードルパンチの対象物）
【図１】
2004308046.tif 000003
【図２】
2004308046.tif 000004
【図３】
2004308046.tif 000005
【図４】
2004308046.tif 000006
【図５】
2004308046.tif 000007
【図６】
2004308046.tif 000008